(57)【特許請求の範囲】
【請求項１】
表示パネルと、
前記表示パネルの背面で前記表示パネルを支持するバックカバーと、
前記表示パネルの一端に電気的に連結され、前記バックカバーの一面上に配置される少なくとも一つのフレキシブルフィルムと、
前記少なくとも一つのフレキシブルフィルムと前記表示パネルの一端を覆うフィルムカバーと、
前記少なくとも一つのフレキシブルフィルムと電気的に連結され、前記バックカバーの一面上に配置される印刷回路基板と、
前記表示パネル及び前記バックカバーがワインディングまたはアンワインディングされ、第１平面部、第２平面部及び曲面部からなるローラーとを含み、
前記表示パネル及び前記バックカバーが前記ローラーにフルワインディングされた状態であるとき、前記表示パネルの一端は、前記第１平面部に対応するように配置され、前記印刷回路基板は、前記第２平面部に対応するように配置される、表示装置。
【請求項２】
前記フィルムカバーは、少なくとも、前記少なくとも一つのフレキシブルフィルムの駆動ＩＣに重畳する複数のホールを含む、請求項１に記載の表示装置。
【請求項３】
前記フィルムカバーは、前記少なくとも一つのフレキシブルフィルムのそれぞれに対応するように配置された複数の第１フィルムカバーをさらに含む、請求項１に記載の表示装置。
【請求項４】
前記表示パネルの一端と前記フィルムカバーとの間に配置された緩衝パッドをさらに含み、
前記緩衝パッドは、前記少なくとも一つのフレキシブルフィルムと重畳する、請求項１に記載の表示装置。
【請求項５】
前記緩衝パッドは、前記少なくとも一つのフレキシブルフィルムと重畳する部分から離れるほど幅が減少する、請求項４に記載の表示装置。
【請求項６】
前記緩衝パッドは、内側からエッジに行くほど厚さが減少する、請求項４に記載の表示装置。
【請求項７】
前記表示パネルと前記フィルムカバーとの間に配置された第１接着部材と、
前記表示パネルと前記緩衝パッドとの間に配置された第２接着部材とをさらに含む、請求項４に記載の表示装置。
【請求項８】
前記バックカバーの一面で前記印刷回路基板を覆い、一面が曲面状に形成されたカバープレートをさらに含み、
前記フィルムカバーの他端は、前記印刷回路基板と前記カバープレートとの間に配置された、請求項１に記載の表示装置。
【請求項９】
前記表示パネルと前記印刷回路基板との間に配置された前記フィルムカバーの一部分の長さ及び前記表示パネルと前記印刷回路基板との間に配置された前記少なくとも一つのフレキシブルフィルムの一部分の長さは、前記表示パネルと前記印刷回路基板との間の直線距離より長い、請求項１に記載の表示装置。
【請求項１０】
パッド領域を含む表示パネルと、
前記表示パネルの一面で前記パッド領域と電気的に連結された少なくとも一つのフレキシブルフィルムと、
前記少なくとも一つのフレキシブルフィルムと電気的に連結された印刷回路基板と、
前記表示パネル、前記少なくとも一つのフレキシブルフィルム、及び前記印刷回路基板を支持するバックカバーと、
前記表示パネルの一面の反対面で前記パッド領域の少なくとも一部及び前記少なくとも一つのフレキシブルフィルムを覆うフィルムカバーと、
前記印刷回路基板と前記印刷回路基板に対応する前記バックカバーの一部が挿入されたカバー部と、
前記表示パネル及び前記バックカバーがワインディングまたはアンワインディングされ、前記パッド領域と対応する第１平面部、及び前記印刷回路基板と対応し、前記第１平面部から延びた第２平面部を含むローラーとを含む、表示装置。
【請求項１１】
前記表示パネルと前記印刷回路基板との間に配置された前記フィルムカバーの一部分の長さは、前記表示パネルと前記印刷回路基板との間に配置された前記少なくとも一つのフレキシブルフィルムの一部分の長さよりも長い、請求項１０に記載の表示装置。
【請求項１２】
前記パッド領域と前記フィルムカバーとの間に配置された緩衝パッドと、
前記フィルムカバーを前記表示パネルに接着させる第１接着部材と、
前記緩衝パッドを前記表示パネルに接着させる第２接着部材と、
前記パッド領域に重畳する前記少なくとも一つのフレキシブルフィルムを覆うマイクロシール部材とをさらに含み、
前記緩衝パッドは、前記マイクロシール部材の少なくとも一部と重畳する、請求項１０に記載の表示装置。
【請求項１３】
前記緩衝パッドの一部分は、前記少なくとも一つのフレキシブルフィルムの外側に突出した、請求項１２に記載の表示装置。
【請求項１４】
前記フィルムカバーは、少なくとも、前記少なくとも一つのフレキシブルフィルムの駆動ＩＣと重畳する部分に複数のホールが配置された、請求項１０に記載の表示装置。
【請求項１５】
前記表示パネルと前記印刷回路基板との間に配置された前記フィルムカバーの一部分の長さ及び前記表示パネルと前記印刷回路基板との間に配置された前記少なくとも一つのフレキシブルフィルムの一部分の長さは、前記表示パネルと前記印刷回路基板との間の直線距離より長い、請求項１０に記載の表示装置。
【発明の詳細な説明】
【技術分野】
【０００１】
本発明は、表示装置に関し、より詳細には、巻き取り可能であり、且つ、画像を表示可能なローラブル（ｒｏｌｌａｂｌｅ）表示装置に関する。
【背景技術】
【０００２】
コンピュータのモニタやＴＶ、携帯電話等に使用される表示装置には、自ら光を発光する有機発光表示装置（Ｏｒｇａｎｉｃ  Ｌｉｇｈｔ  Ｅｍｉｔｔｉｎｇ  Ｄｉｓｐｌａｙ；ＯＬＥＤ）等と、別途の光源を要する液晶表示装置（Ｌｉｑｕｉｄ  Ｃｒｙｓｔａｌ  Ｄｉｓｐｌａｙ；ＬＣＤ）等がある。
表示装置は、コンピュータのモニタ及びＴＶだけではなく、個人の携帯機器までその適用範囲が多様になっており、広い表示面積を有しながらも減少した体積及び重さを有する表示装置についての研究が進行している。
また、近年は、フレキシブル（ｆｌｅｘｉｂｌｅ）素材であるプラスチック等のように柔軟性のある基板に表示素子、配線等を形成して、巻き取り可能であり、且つ、画像を表示可能に製造されたローラブル表示装置が次世代の表示装置として注目を集めている。
【先行技術文献】
【特許文献】
【０００３】
【特許文献１】特開２０１６−１３０８５３号公報
【発明の概要】
【発明が解決しようとする課題】
【０００４】
本発明が解決しようとする課題は、ワインディング及びアンワインディングの繰り返しによるフレキシブルフィルム及び印刷回路基板の損傷を最小化した表示装置を提供することである。
【０００５】
本発明が解決しようとする他の課題は、表示装置のワインディング及びアンワインディングと関係なく表示パネルのパッド領域を平らに維持して表示パネルに加えられるストレスを最小化した表示装置を提供することである。
【０００６】
本発明が解決しようとするさらに他の課題は、表示装置をローラーにワインディング時、フレキシブルフィルムと表示パネル間の剥離を最小化した表示装置を提供することである。
【０００７】
本発明が解決しようとするさらに他の課題は、表示装置のワインディング時、フレキシブルフィルムに作用する外力を最小化した表示装置を提供することである。
【０００８】
本発明が解決しようとするさらに他の課題は、フレキシブルフィルムの駆動ＩＣで発生した熱を効果的に放出できる表示装置を提供することである。
【０００９】
本発明の課題は、以上において言及した課題に限定されず、言及されていないさらに他の課題は、下記の記載から当業者に明確に理解され得るだろう。
【課題を解決するための手段】
【００１０】
前述したような課題を解決するために、本発明の一実施例に係る表示装置は、表示パネルと、表示パネルの背面で表示パネルを支持するバックカバーと、表示パネルの一端に電気的に連結され、バックカバーの一面上に配置される少なくとも一つのフレキシブルフィルムと、少なくとも一つのフレキシブルフィルムと表示パネルの一端を覆うフィルムカバーと、少なくとも一つのフレキシブルフィルムと電気的に連結され、バックカバーの一面上に配置される印刷回路基板と、表示パネル及びバックカバーがワインディング（ｗｉｎｄｉｎｇ）またはアンワインディング（ｕｎ−ｗｉｎｄｉｎｇ）され、第１平面部、第２平面部及び曲面部からなるローラーとを含み、表示パネル及びバックカバーがローラーにフルワインディングされた状態であるとき、表示パネルの一端は、第１平面部に対応するように配置され、印刷回路基板は、第２平面部に対応するように配置される。従って、少なくとも一つのフレキシブルフィルムがボンディングされた表示パネルの一端を常に平らに維持して、ワインディングまたはアンワインディング時、少なくとも一つのフレキシブルフィルム及び表示パネルの損傷を最小化することができる。
【００１１】
前述したような課題を解決するために、本発明の他の実施例に係る表示装置は、パッド領域を含む表示パネルと、表示パネルの一面でパッド領域と電気的に連結された少なくとも一つのフレキシブルフィルムと、少なくとも一つのフレキシブルフィルムと電気的に連結された印刷回路基板と、表示パネル、少なくとも一つのフレキシブルフィルム、及び印刷回路基板を支持するバックカバーと、表示パネルの一面の反対面でパッド領域の少なくとも一部及び少なくとも一つのフレキシブルフィルムを覆うフィルムカバーと、印刷回路基板と印刷回路基板に対応するバックカバーの一部が挿入されたカバー部と、表示パネル及びバックカバーがワインディングまたはアンワインディングされ、パッド領域と対応する第１平面部、及び印刷回路基板と対応し、第１平面部から延びた第２平面部を含むローラーとを含む。従って、パッド領域を第１平面部上にワインディングして、パッド領域と少なくとも一つのフレキシブルフィルムの接触不良を最小化することができる。
その他の実施例の具体的な事項は、詳細な説明及び図面に含まれている。
【発明の効果】
【００１２】
本発明は、表示装置のワインディング及びアンワインディング時、フレキシブルフィルム及び印刷回路基板の損傷を最小化することができる。
【００１３】
本発明は、少なくともパッド領域を含む表示パネルの一部分を常に平らに維持して表示パネルの損傷を最小化することができる。
【００１４】
本発明は、表示装置のワインディング及びアンワインディング時、フレキシブルフィルムに加えられる張力を最小化することができる。
【００１５】
本発明は、表示装置のワインディング及びアンワインディング時、フレキシブルフィルムと表示パネル間の接触不良を最小化することができる。
【００１６】
本発明は、フレキシブルフィルムの駆動ＩＣで発生した熱を効率的に放熱することができる。
【００１７】
本発明に係る効果は、以上において例示された内容により限定されず、さらに多様な効果が本発明内に含まれている。
【図面の簡単な説明】
【００１８】
【図１ａ】本発明の一実施例に係る表示装置の斜視図である。
【図１ｂ】本発明の一実施例に係る表示装置の斜視図である。
【図２】本発明の一実施例に係る表示装置の斜視図である。
【図３】本発明の一実施例に係る表示装置の概略的な断面図である。
【図４】本発明の一実施例に係る表示装置の表示部の平面図である。
【図５】本発明の一実施例に係る表示装置のバックカバーの平面図である。
【図６】図４のＶＩ−ＶＩ’に沿った断面図である。
【図７】図４のＶＩＩ−ＶＩＩ’に沿った断面図である。
【図８】図４のＶＩＩＩ−ＶＩＩＩ’に沿った断面図である。
【図９】本発明の一実施例に係る表示装置の断面図である。
【図１０】本発明の他の実施例に係る表示装置の表示部の平面図である。
【図１１】本発明のさらに他の実施例に係る表示装置の表示部の平面図である。
【図１２】本発明の多様な実施例に係る表示装置の表示部の緩衝パッドを説明するための図である。
【図１３】本発明の多様な実施例に係る表示装置の表示部の緩衝パッドを説明するための図である。
【図１４】本発明の多様な実施例に係る表示装置の表示部の緩衝パッドを説明するための図である。
【発明を実施するための形態】
【００１９】
本発明の利点及び特徴、そして、それらを達成する方法は、添付の図面と共に詳細に後述されている実施例を参照すると、明確になるだろう。しかし、本発明は、以下において開示される実施例に限定されるものではなく、互いに異なる多様な形状に具現され、単に、本実施例は、本発明の開示が完全なものとなるようにし、本発明の属する技術の分野における通常の知識を有する者に発明の範疇を完全に知らせるために提供されるものであり、本発明は、請求項の範疇により定義されるだけである。
【００２０】
本発明の実施例を説明するための図面に開示された形状、面積、比率、角度、個数等は、例示的なものであるので、本発明は、図示された事項に限定されるものではない。明細書全体にわたって、同じ参照符号は、同じ構成要素を指す。また、本発明を説明するにあたって、関連した公知技術についての具体的な説明が本発明の要旨を不必要に曖昧にする虞があると判断される場合、その詳細な説明は省略する。本発明上において言及された「含む」、「有する」、「なる」等が使用される場合、「〜だけ」が使用されない以上、他の部分が加えられ得る。構成要素を単数で表現した場合、特に明示的な記載事項がない限り、複数を含む場合を含む。
【００２１】
構成要素を解釈するにあたって、別途の明示的な記載がなくても誤差の範囲を含むものと解釈する。
【００２２】
位置関係についての説明である場合、例えば、「〜上に」、「〜上部に」、「〜下部に」、「〜隣に」等で二つの部分の位置関係が説明される場合、「すぐ」または「直接」が使用されていない以上、二つの部分の間に一つ以上の他の部分が位置してもよい。
【００２３】
素子または層が他の素子または層の「上（ｏｎ）」と称されるものは、他の素子のすぐ上または中間に他の層または他の素子を介在した場合をいずれも含む。
【００２４】
また、「第１」、「第２」等が多様な構成要素を述べるために使用されるが、これらの構成要素は、これらの用語により限定されない。これらの用語は、単に一つの構成要素を他の構成要素と区別するために使用するものである。従って、以下において言及される第１構成要素は、本発明の技術的思想内で第２構成要素であってもよい。
【００２５】
明細書全体にわたって、同じ参照符号は、同じ構成要素を指す。
図面で示された各構成の面積及び厚さは、説明の便宜のために示されたものであり、本発明は、示された構成の面積及び厚さに必ずしも限定されるものではない。
【００２６】
本発明の様々な実施例のそれぞれの特徴は、部分的または全体的に互いに結合または組み合わせ可能であり、技術的に多様な連動及び駆動が可能であり、各実施例が互いに対して独立して実施可能であってもよく、組合わせて共に実施してもよい。
【００２７】
以下においては、添付の図面を参照して、本発明の多様な実施例を詳細に説明する。
【００２８】
＜表示装置−ローラブル表示装置＞
ローラブル表示装置は、巻き取り可能であり、且つ、画像を表示可能な表示装置と称され得る。ローラブル表示装置は、従来の一般的な表示装置と比較して高いフレキシビリティを有することができる。ローラブル表示装置の使用の有無によって、ローラブル表示装置は、形状が自由に変更され得る。具体的には、ローラブル表示装置を使用しないとき、ローラブル表示装置を巻き取ることで体積を減少させて保管できる。逆に、ローラブル表示装置を使用するとき、巻き取られたローラブル表示装置をまた広げて使用することができる。
【００２９】
図１ａ及び図１ｂは、本発明の一実施例に係る表示装置の斜視図である。図１ａ及び図１ｂを参照すると、本発明の一実施例に係る表示装置１００は、表示部ＤＰ及びハウジング部ＨＰを含む。
【００３０】
表示部ＤＰは、ユーザに映像を表示するための構成であり、例えば、表示素子と、表示素子を駆動するための回路、配線及び部品等が配置され得る。このとき、本発明の一実施例に係る表示装置１００は、ローラブル表示装置１００であるので、表示部ＤＰは、ワインディング（ｗｉｎｄｉｎｇ）またはアンワインディング（ｕｎ−ｗｉｎｄｉｎｇ）が可能であるように構成され得る。例えば、表示部ＤＰは、ワインディングまたはアンワインディングが可能であるようにフレキシビリティ（ｆｌｅｘｉｂｉｌｉｔｙ）を有する表示パネル及びバックカバーからなり得る。表示部ＤＰについてのより詳細な説明は、図４乃至図８を参照して後述する。
【００３１】
ハウジング部ＨＰは、表示部ＤＰが収納され得るケースである。表示部ＤＰは、ワインディングされてハウジング部ＨＰの内部に収納され得る。表示部ＤＰは、アンワインディングされてハウジング部ＨＰの外部に配置され得る。
【００３２】
ハウジング部ＨＰは、表示部ＤＰがハウジング部ＨＰの内部及び外部に移動できるように開口部ＨＰＯが配置される。表示部ＤＰは、ハウジング部ＨＰの開口部ＨＰＯを通過して上下方向に移動できる。
【００３３】
一方、表示装置１００の表示部ＤＰは、フルアンワインディング（ｆｕｌｌ  ｕｎｗｉｎｄｉｎｇ）された状態からフルワインディング（ｆｕｌｌ  ｗｉｎｄｉｎｇ）された状態に、またはフルワインディングされた状態からフルアンワインディングされた状態に転換され得る。
【００３４】
図１ａにおいては、表示装置１００の表示部ＤＰがフルアンワインディングされた状態を示しており、フルアンワインディングされた表示装置１００の表示部ＤＰがハウジング部ＨＰの外部に配置された状態である。即ち、ユーザが表示装置１００を通して映像を視聴するために、表示部ＤＰがアンワインディングされてハウジング部ＨＰの外部に最大限配置され、それ以上アンワインディングできない状態をフルアンワインディングされた状態と定義できる。
【００３５】
図１ｂにおいては、表示装置１００の表示部ＤＰがフルワインディングされた状態を示しており、フルワインディングされた表示装置１００の表示部ＤＰがハウジング部ＨＰの内部に収納され、それ以上ワインディングできない状態である。即ち、ユーザが表示装置１００を通して映像を視聴しない場合は、表示部ＤＰがハウジング部ＨＰの外部に配置されないことが外観の側面から有利であるので、表示部ＤＰがワインディングされてハウジング部ＨＰの内部に収納された状態をフルワインディングされた状態と定義できる。また、表示部ＤＰがハウジング部ＨＰの内部に収納されたフルワインディングされた状態である場合は、表示装置１００の体積が小さくなり、運搬が容易であり得る。
【００３６】
一方、表示部ＤＰをフルアンワインディングされた状態またはフルワインディングされた状態に転換するために、表示部ＤＰをワインディングまたはアンワインディングする駆動部ＭＰが配置される。
【００３７】
＜駆動部＞
図２は、本発明の一実施例に係る表示装置の斜視図である。図３は、本発明の一実施例に係る表示装置の概略的な断面図である。図３は、本発明の一実施例に係る表示装置１００のローラー１７１及び表示部ＤＰを説明するための概略的な断面図である。説明の便宜のために、図３においては、ハウジング部ＨＰ、ローラー１７１及び表示部ＤＰだけを示している。
【００３８】
まず、図２を参照すると、駆動部ＭＰは、ローラー部１７０及び昇降部１８０を含む。
【００３９】
ローラー部１７０は、時計回りまたは反時計回りに回転してローラー部１７０に固定された表示部ＤＰをワインディングまたはアンワインディングする。ローラー部１７０は、ローラー１７１及びローラー支持部１７２を含む。
【００４０】
ローラー１７１は、表示部ＤＰがワインディングされる部材である。ローラー１７１は、例えば、円筒形状に形成され得る。ローラー１７１に表示部ＤＰの下側エッジが固定され得る。ローラー１７１が回転すると、ローラー１７１に下側エッジが固定された表示部ＤＰがローラー１７１にワインディングされ得る。これに対して、ローラー１７１が反対方向に回転すると、ローラー１７１にワインディングされた表示部ＤＰがローラー１７１からアンワインディングされ得る。
【００４１】
図３を参照すると、ローラー１７１は、外周面の少なくとも一部分が平面になされ、外周面の残りの部分が曲面になされた円筒形状になされ得る。ローラー１７１は、全体的に円筒形状であるが、一部分が平面状に形成され得る。即ち、ローラー１７１の外周面の一部分は平らに形成され、外周面の残りの部分は曲面状に形成される。例えば、ローラー１７１は、曲面部１７１Ｒ、第１平面部１７１Ｆａ及び第２平面部１７１Ｆｂからなり得る。ローラー１７１の第１平面部１７１Ｆａ及び第２平面部１７１Ｆｂのそれぞれは、表示部ＤＰの表示パネルのパッド領域及び印刷回路基板が安着される部分であってよい。ただし、ローラー１７１は、完全な円筒形状であるか、表示部ＤＰをワインディングできる任意の形状であってもよく、これに限定されるものではない。
【００４２】
また、図２を参照すると、ローラー支持部１７２は、ローラー１７１の両側でローラー１７１を支持する。具体的には、ローラー支持部１７２は、ハウジング部ＨＰの底面ＨＰＦに配置される。そして、ローラー支持部１７２の上端側面は、ローラー１７１の両側末端と結合される。そこで、ローラー支持部１７２は、ローラー１７１がハウジング部ＨＰの底面ＨＰＦから離隔されるように支持することができる。このとき、ローラー１７１は、ローラー支持部１７２に回転可能であるように結合され得る。
【００４３】
昇降部１８０は、ローラー部１７０の駆動に合わせて表示部ＤＰを上下方向に移動させる。昇降部１８０は、リンク部１８１、ヘッドバー１８２、スライドレール１８３、スライダー１８４、モータ１８５及び回転部１８６を含む。
【００４４】
昇降部１８０のリンク部１８１は、複数のリンク１８１ａ、１８１ｂ、及び複数のリンク１８１ａ、１８１ｂのそれぞれを連結するヒンジ部１８１ｃを含む。具体的には、複数のリンク１８１ａ、１８１ｂは、第１リンク１８１ａ及び第２リンク１８１ｂを含み、第１リンク１８１ａ及び第２リンク１８１ｂは、はさみ形状に互いに交差して、ヒンジ部１８１ｃを媒介にして回転可能に締結される。そこで、リンク部１８１は、上下方向に移動するとき、複数のリンク１８１ａ、１８１ｂのそれぞれが互いに離れるか近くなる方向に回転できる。
【００４５】
昇降部１８０のヘッドバー１８２は、表示部ＤＰの最上端に固定される。ヘッドバー１８２は、リンク部１８１と連結され、リンク部１８１の複数のリンク１８１ａ、１８１ｂの回転によって表示部ＤＰを上下方向に移動させることができる。即ち、表示部ＤＰは、ヘッドバー１８２及びリンク部１８１により上下方向に移動できる。
【００４６】
ヘッドバー１８２は、表示部ＤＰの正面で表示される映像を遮ることのないように表示部ＤＰの最上端のエッジに隣接する面の一部分だけを覆う。表示部ＤＰとヘッドバー１８２は、スクリューで固定され得るが、これに限定されるものではない。
【００４７】
昇降部１８０のスライドレール１８３は、複数のリンク１８１ａ、１８１ｂの移動経路を提供する。複数のリンク１８１ａ、１８１ｂのうち一部は、スライドレール１８３に回転可能に締結され、スライドレール１８３の軌跡に沿って動きがガイドされ得る。複数のリンク１８１ａ、１８１ｂのうち一部は、スライドレール１８３に沿って移動可能に備えられるスライダー１８４に締結され、スライドレール１８３の軌跡に沿って移動できる。
【００４８】
モータ１８５は、別途の外部電源または内蔵バッテリー等のような電源生成部に連結され、電源の供給を受けることができる。モータ１８５は、回転力を発生させて回転部１８６に駆動力を提供する。
【００４９】
回転部１８６は、モータ１８５と連結され、モータ１８５からの回転運動を直線往復運動に変換するように構成される。即ち、モータ１８５の回転運動を回転部１８６に固定された構造物の直線往復運動に変換できる。例えば、回転部１８６は、シャフトとシャフトに締結されるナットを含むボールスクリューに具現され得るが、これに限定されるものではない。
【００５０】
モータ１８５及び回転部１８６は、リンク部１８１と連動して表示部ＤＰを昇降させることができる。リンク部１８１は、リンク構造に形成され、モータ１８５及び回転部１８６からの駆動力の伝達を受けて折り畳まれるか（ｆｏｌｄｉｎｇ）、広げられる（ｕｎｆｏｌｄｉｎｇ）動作を繰り返して遂行することができる。
【００５１】
具体的には、表示部ＤＰがワインディングされるとき、モータ１８５が駆動されることで回転部１８６の構造物が直線運動をすることができる。即ち、第２リンク１８１ｂの一端が連結された回転部１８６の一部分は、直線運動をすることができる。そこで、第２リンク１８１ｂの一端がモータ１８５側に移動でき、複数のリンクが折り畳まれるようになってリンク部１８１の高さが減少し得る。また、複数のリンクが折り畳まれる過程で第１リンク１８１ａに連結されたヘッドバー１８２もまた下降するようになり、ヘッドバー１８２に連結された表示部ＤＰの一端も下降するようになる。
【００５２】
表示部ＤＰがアンワインディングされるとき、モータ１８５が駆動されることで、回転部１８６の構造物が直線運動をすることができる。即ち、第２リンク１８１ｂの一端が連結された回転部１８６の一部分が直線運動をすることができる。これによって、第２リンク１８１ｂの一端がモータ１８５側から離れる方向に移動でき、複数のリンクが広げられるようになってリンク部１８１の高さが増加し得る。また、複数のリンクが広げられる過程で第１リンク１８１ａに連結されたヘッドバー１８２もまた上昇するようになり、ヘッドバー１８２に連結された表示部ＤＰの一端も上昇するようになる。
【００５３】
従って、表示部ＤＰがローラー１７１にフルワインディングされた場合、昇降部１８０のリンク部１８１は、折り畳まれた状態を維持する。即ち、表示部ＤＰがローラー１７１にフルワインディングされた場合、昇降部１８０は、最も低い高さを有し得る。表示部ＤＰがフルアンワインディングされた場合、昇降部１８０のリンク部１８１は、広げられた状態を維持する。即ち、表示部ＤＰがフルアンワインディングされた場合、昇降部１８０は、最も高い高さを有し得る。
【００５４】
一方、表示部ＤＰをワインディングする場合、ローラー１７１は回転でき、表示部ＤＰは、ローラー１７１にワインディングされ得る。図３を例に挙げて説明すると、ローラー１７１に表示部ＤＰの下側エッジが連結される。そして、ローラー１７１が第２方向ＤＲ２、即ち、反時計回りに回転すると、表示部ＤＰは、表示部ＤＰの背面がローラー１７１の表面に密着してワインディングされ得る。
【００５５】
表示部ＤＰをアンワインディングする場合、ローラー１７１は回転でき、表示部ＤＰは、ローラー１７１からアンワインディングされ得る。図３を例に挙げて説明すると、ローラー１７１が第１方向ＤＲ１、即ち、時計回りに回転すると、ローラー１７１にワインディングされた表示部ＤＰがローラー１７１からアンワインディングされ、ハウジング部ＨＰの外部に配置され得る。
【００５６】
いくつかの実施例において、上述した駆動部ＭＰ以外に他の構造を有する駆動部ＭＰが表示装置１００に適用されてもよい。即ち、表示部ＤＰをワインディング及びアンワインディングすることができれば、上述したローラー部１７０及び昇降部１８０の構成が変更されてもよく、一部の構成が省略されるか、他の構成がさらに加えられてもよい。
【００５７】
＜表示部＞
図４は、本発明の一実施例に係る表示装置の表示部の平面図である。図５は、本発明の一実施例に係る表示装置のバックカバーの平面図である。図６は、図４のＶＩ−ＶＩ’に沿った断面図である。図７は、図４のＶＩＩ−ＶＩＩ’に沿った断面図である。図８は、図４のＶＩＩＩ−ＶＩＩＩ’に沿った断面図である。図４乃至図８を参照すると、表示部ＤＰは、バックカバー１１０、表示パネル１２０、少なくとも一つのフレキシブルフィルム１３０、印刷回路基板１４０、フィルムカバー１５０、カバー部１６０、緩衝パッドＢＰ、第１接着部材Ａ１、第２接着部材Ａ２及びマイクロシール部材ＭＳを含む。一方、説明の便宜のために、図４においては、カバー部１６０の図示を省略し、図７においては、基板１２１及びバッファ層１２２を一つの層に示し、画素部１２３、封止層１２４、第１接着層ＡＤ１及び封止基板１２５を一つの層に示している。
【００５８】
図４及び図５を参照すると、バックカバー１１０は、表示パネル１２０の背面に配置され、表示パネル１２０、少なくとも一つのフレキシブルフィルム１３０及び印刷回路基板１４０を支持する。バックカバー１１０の大きさは、表示パネル１２０の大きさよりも大きくてよい。バックカバー１１０は、外部から表示部ＤＰの他の構成を保護することができる。
【００５９】
バックカバー１１０は、剛性を有する物質で形成されるが、バックカバー１１０の少なくとも一部分は、表示パネル１２０と共にワインディングまたはアンワインディングされるためにフレキシビリティを有し得る。例えば、バックカバー１１０は、ＳＵＳ（Ｓｔｅｅｌ  Ｕｓｅ  Ｓｔａｉｎｌｅｓｓ）またはインバー（Ｉｎｖａｒ）等の金属材質またはプラスチック等の物質からなり得る。ただし、バックカバー１１０の物質は、熱変形量、曲率半径、剛性等の物性条件を満たすならば、設計によって多様に変更され得、これに限定されるものではない。
【００６０】
バックカバー１１０は、第１バックカバー１１０ａ及び第２バックカバー１１０ｂを含む。バックカバー１１０は、第１バックカバー１１０ａと第２バックカバー１１０ｂとに分離されて構成され得る。第１バックカバー１１０ａは、ヘッドバー１８２と締結され得る。第２バックカバー１１０ｂは、ローラー１７１と締結され得る。
【００６１】
バックカバー１１０は、複数の支持領域ＰＡ及び複数の延性領域ＭＡを含む。複数の支持領域ＰＡは、複数の開口部１１１が配置されていない領域であり、複数の延性領域ＭＡは、複数の開口部１１１が配置された領域である。具体的には、第１バックカバー１１０ａは、最上端から第１支持領域ＰＡ１、第１延性領域ＭＡ１及び第２支持領域ＰＡ２が順次に配置され、第２バックカバー１１０ｂは、最上端から第３支持領域ＰＡ３、第２延性領域ＭＡ２及び第４支持領域ＰＡ４が順次に配置される。そして、複数の支持領域ＰＡのそれぞれには、複数の締結ホールが形成される。具体的には、第１支持領域ＰＡ１には、第１締結ホールＡＨ１が形成され、第２支持領域ＰＡ２には、第２締結ホールＡＨ２が形成され、第３支持領域ＰＡ３には、第３締結ホールＡＨ３が形成され、第４支持領域ＰＡ４には、第４締結ホールＡＨ４が形成される。
【００６２】
第１支持領域ＰＡ１は、第１バックカバー１１０ａの最上端の領域であり、ヘッドバー１８２と締結される領域である。第１支持領域ＰＡ１には、ヘッドバー１８２との締結のために、第１締結ホールＡＨ１が形成され得る。例えば、ヘッドバー１８２と第１締結ホールＡＨ１を貫通するスクリューが配置され、ヘッドバー１８２とバックカバー１１０の第１支持領域ＰＡ１が締結され得る。そして、第１支持領域ＰＡ１がヘッドバー１８２と締結されることで、ヘッドバー１８２に締結されたリンク部１８１が上昇または下降時、バックカバー１１０も共に昇降または下降され得、バックカバー１１０に貼り付けられた表示パネル１２０もまた共に昇降または下降され得る。
【００６３】
第１延性領域ＭＡ１は、第１支持領域ＰＡ１から第１バックカバー１１０ａの下側に延びた領域である。第１延性領域ＭＡ１は、複数の開口部１１１が配置され、表示パネル１２０が貼り付けられる領域である。具体的には、第１延性領域ＭＡ１は、表示パネル１２０と共にローラー１７１にワインディングまたはアンワインディングされる領域である。第１延性領域ＭＡ１は、表示部ＤＰの他の構成のうち少なくとも表示パネル１２０には重畳できる。
【００６４】
第２支持領域ＰＡ２は、第１延性領域ＭＡ１から第１バックカバー１１０ａの下側に延びた領域である。第２支持領域ＰＡ２は、カバー部１６０のベースプレート１６１及びボトムプレート１６２と締結される領域である。第２支持領域ＰＡ２には、カバー部１６０との締結のために、第２締結ホールＡＨ２が形成され得る。例えば、カバー部１６０と第２締結ホールＡＨ２を貫通するスクリューが配置され、カバー部１６０と第１バックカバー１１０ａの第２支持領域ＰＡ２が締結され得る。
【００６５】
第３支持領域ＰＡ３は、第２バックカバー１１０ｂの最上端の領域であり、カバー部１６０のベースプレート１６１及びボトムプレート１６２と締結される領域である。第３支持領域ＰＡ３には、カバー部１６０との締結のために、第３締結ホールＡＨ３が形成され得る。例えば、カバー部１６０と第３締結ホールＡＨ３を貫通するスクリューが配置され、カバー部１６０と第２バックカバー１１０ｂの第３支持領域ＰＡ３が締結され得る。
【００６６】
第１バックカバー１１０ａと第２バックカバー１１０ｂは、カバー部１６０により互いに連結され得る。例えば、第１バックカバー１１０ａの第２支持領域ＰＡ２の第２締結ホールＡＨ２及び第２バックカバー１１０ｂの第３支持領域ＰＡ３の第３締結ホールＡＨ３にボトムプレート１６２またはベースプレート１６１からの突起が挿入され、第１バックカバー１１０ａと第２バックカバー１１０ｂが結合され得る。また、例えば、第１バックカバー１１０ａ、第２バックカバー１１０ｂ及びカバー部１６０を貫通するスクリューが配置され、カバー部１６０と第１バックカバー１１０ａ及び第２バックカバー１１０ｂが結合されてもよい。ただし、第１バックカバー１１０ａ、第２バックカバー１１０ｂ及びカバー部１６０の結合方式は例示的なものであり、これに限定されない。
【００６７】
第２延性領域ＭＡ２は、第３支持領域ＰＡ３から第２バックカバー１１０ｂの下側に延びた領域である。第２延性領域ＭＡ２は、複数の開口部１１１が配置され、表示パネル１２０の表示領域ＡＡがハウジング部ＨＰの外部に配置され得るように延びた領域である。例えば、バックカバー１１０及び表示パネル１２０がフルアンワインディングされた状態であるとき、ローラー１７１に固定された第２バックカバー１１０ｂと少なくとも一つのフレキシブルフィルム１３０が配置された第１延性領域ＭＡ１の一部分までは、ハウジング部ＨＰの内部に配置され得、表示パネル１２０が貼り付けられた第１延性領域ＭＡ１の残りの部分と第１支持領域ＰＡ１は、ハウジング部ＨＰの外部に配置され得る。即ち、ローラー１７１に固定された第２バックカバー１１０ｂの第４支持領域ＰＡ４、第２延性領域ＭＡ２及び第３支持領域ＰＡ３と第１バックカバー１１０ａの第２支持領域ＰＡ２及び第１延性領域ＭＡ１の一部分は、ハウジング部ＨＰの内部に配置され得る。
【００６８】
仮に、ローラー１７１に固定された第４支持領域ＰＡ４から第１延性領域ＭＡ１の一部分までの長さが第４支持領域ＰＡ４からハウジング部ＨＰの開口部ＨＰＯまでの長さよりも短ければ、表示パネル１２０の一部分がハウジング部ＨＰの内部に配置されるので、映像視聴が困難になり得る。従って、ローラー１７１に固定された第２バックカバー１１０ｂの全体、第２支持領域ＰＡ２及び第１延性領域ＭＡ１の一部分までの長さがローラー１７１に固定された第４支持領域ＰＡ４からハウジング部ＨＰの開口部ＨＰＯまでの長さと同一であるように設計され得る。
【００６９】
第４支持領域ＰＡ４は、第２延性領域ＭＡ２から第２バックカバー１１０ｂの下側に延びた領域である。第４支持領域ＰＡ４は、第２バックカバー１１０ｂの最下端の領域であり、ローラー１７１と締結される領域である。第４支持領域ＰＡ４には、ローラー１７１との締結のために、第４締結ホールＡＨ４が形成され得る。例えば、ローラー１７１と第４締結ホールＡＨ４を貫通するスクリューが配置され、ローラー１７１と第２バックカバー１１０ｂの第４支持領域ＰＡ４が締結され得る。そして、第４支持領域ＰＡ４がローラー１７１と締結されることで、バックカバー１１０がローラー１７１にワインディングまたはアンワインディングされ得る。
【００７０】
一方、第１支持領域ＰＡ１、第２支持領域ＰＡ２、第３支持領域ＰＡ３及び第４支持領域ＰＡ４には、複数の延性領域ＭＡに形成されたような複数の開口部１１１は形成されない。具体的には、第１支持領域ＰＡ１、第２支持領域ＰＡ２、第３支持領域ＰＡ３及び第４支持領域ＰＡ４のそれぞれには、第１締結ホールＡＨ１、第２締結ホールＡＨ２、第３締結ホールＡＨ３及び第４締結ホールＡＨ４のみが形成されるだけで、第１支持領域ＰＡ１、第２支持領域ＰＡ２、第３支持領域ＰＡ３及び第４支持領域ＰＡ４には、複数の延性領域ＭＡに形成されたような複数の開口部１１１は形成されない。また、第１締結ホールＡＨ１、第２締結ホールＡＨ２、第３締結ホールＡＨ３及び第４締結ホールＡＨ４は、複数の開口部１１１と形状が互いに異なる。第１支持領域ＰＡ１は、ヘッドバー１８２に固定される領域であり、第２支持領域ＰＡ２及び第３支持領域ＰＡ３は、カバー部１６０と連結される領域であり、第４支持領域ＰＡ４は、ローラー１７１に固定される領域であり、複数の延性領域ＭＡより剛性を有し得る。
【００７１】
第１支持領域ＰＡ１、第２支持領域ＰＡ２、第３支持領域ＰＡ３及び第４支持領域ＰＡ４が剛性を有することで、第１支持領域ＰＡ１及び第４支持領域ＰＡ４は、ヘッドバー１８２及びローラー１７１に固く固定され得、第２支持領域ＰＡ２及び第３支持領域ＰＡ３は、カバー部１６０に固く固定され得る。従って、表示部ＤＰが駆動部ＭＰのローラー１７１及びヘッドバー１８２に固定され、駆動部ＭＰの動作によってハウジング部ＨＰの内部または外部に移動され得る。
【００７２】
一方、図４においては、バックカバー１１０の複数の支持領域ＰＡ及び複数の延性領域ＭＡが列方向に沿って順次に配置されたものと示したが、バックカバー１１０が行方向にワインディングされる場合、複数の支持領域ＰＡ及び複数の延性領域ＭＡは、行方向に沿って配置され得る。
【００７３】
図４及び図５においては、第１締結ホールＡＨ１が５個であり、第２締結ホールＡＨ２、第３締結ホールＡＨ３及び第４締結ホールＡＨ４が２個であるものと示したが、第１締結ホールＡＨ１、第２締結ホールＡＨ２、第３締結ホールＡＨ３及び第４締結ホールＡＨ４の個数は、これに限定されるものではない。また、図４においては、バックカバー１１０が第１締結ホールＡＨ１を使用してヘッドバー１８２と締結され、第２締結ホールＡＨ２及び第３締結ホールＡＨ３を使用してカバー部１６０と締結され、第４締結ホールＡＨ４を使用してローラー１７１と締結されるものと説明したが、これに限定されず、別途の締結ホールなしにバックカバー１１０とヘッドバー１８２、ローラー１７１及びカバー部１６０が互いに締結されてもよい。
【００７４】
表示部ＤＰがワインディングまたはアンワインディングされるとき、バックカバー１１０の複数の延性領域ＭＡに配置された複数の開口部１１１は、表示部ＤＰに加えられる応力により変形され得る。具体的には、表示部ＤＰがワインディングまたはアンワインディングされるとき、バックカバー１１０の複数の延性領域ＭＡは、複数の開口部１１１が収縮または膨張することで変形され得る。そして、複数の開口部１１１が収縮または膨張することで、バックカバー１１０の複数の延性領域ＭＡ上に配置された表示パネル１２０のスリップ（Ｓｌｉｐ）現象が最小化されて表示パネル１２０に加えられる応力、即ち、ストレスを最小化することができる。
【００７５】
表示パネル１２０及びバックカバー１１０がワインディングされるとき、表示パネル１２０とバックカバー１１０の曲率半径の差によって、ローラー１７１にワインディングされる表示パネル１２０の長さとバックカバー１１０の長さに差が出るようになる。例えば、バックカバー１１０及び表示パネル１２０がローラー１７１にワインディングされるとき、バックカバー１１０及び表示パネル１２０がローラー１７１に一回りワインディングされるために必要な長さは異なり得る。即ち、表示パネル１２０がローラー１７１を基準にバックカバー１１０よりも外側に配置されるので、表示パネル１２０がローラー１７１に一回りワインディングされるために必要な長さは、バックカバー１１０がローラー１７１に一回りワインディングされるために必要な長さよりも長くなり得る。このように、表示部ＤＰのワインディング時、曲率半径の差によりバックカバー１１０と表示パネル１２０とでワインディングされる長さに差が出るようになり、バックカバー１１０に貼り付けられた表示パネル１２０が滑って元の位置から移動することもあり得る。このとき、ワインディングにより発生した応力及び曲率半径の差によって表示パネル１２０がバックカバー１１０から滑る現象をスリップ現象と定義できる。スリップが過度に大きくなると、表示パネル１２０がバックカバー１１０から脱着するか、クラック等の不良が発生し得る。
【００７６】
本発明の一実施例に係る表示装置１００においては、表示部ＤＰがワインディングまたはアンワインディングされて表示部ＤＰに応力が加えられても、バックカバー１１０の複数の開口部１１１が柔軟に変形されてバックカバー１１０及び表示パネル１２０に加えられる応力を緩和させることができる。例えば、バックカバー１１０及び表示パネル１２０が列方向に沿ってローラー１７１にワインディングされるとき、バックカバー１１０及び表示パネル１２０を上下方向に変形させる応力が加えられ得る。このとき、バックカバー１１０の複数の開口部１１１がバックカバー１１０の上下方向に伸び得、バックカバー１１０の長さも柔軟に変形され得る。従って、バックカバー１１０と表示パネル１２０がワインディングされる過程で曲率半径の差によるバックカバー１１０と表示パネル１２０の長さの差をバックカバー１１０の複数の開口部１１１が補償できる。また、バックカバー１１０と表示パネル１２０がワインディングされる過程で複数の開口部１１１が変形され、バックカバー１１０から表示パネル１２０に加えられる応力もまた緩和され得る。
【００７７】
図４及び図６を参照すると、バックカバー１１０の一面上に表示パネル１２０が配置される。第１バックカバー１１０ａの一面で、第１延性領域ＭＡ１に表示パネル１２０が配置される。表示パネル１２０は、ユーザに映像を表示するためのパネルである。表示パネル１２０には、映像を表示するための表示素子、表示素子を駆動するための駆動素子、表示素子及び駆動素子に各種の信号を伝達する配線等が配置され得る。
【００７８】
表示素子は、表示パネル１２０の種類によって異るように定義され得る。例えば、表示パネル１２０が有機発光表示パネルである場合、表示素子は、アノード、有機発光層及びカソードを含む有機発光素子であってよい。例えば、表示パネル１２０が液晶表示パネルである場合、表示素子は、液晶表示素子であってよい。以下においては、表示パネル１２０が有機発光表示パネルであるものと仮定して説明するが、表示パネル１２０が有機発光表示パネルに限定されるものではない。また、本発明の一実施例に係る表示装置１００は、ローラブル表示装置１００であるので、表示パネル１２０は、ローラー１７１にワインディングまたはアンワインディングされるためにフレキシブルな表示パネル１２０に具現され得る。
【００７９】
図４を参照すると、表示パネル１２０は、表示領域ＡＡ及び非表示領域ＮＡを含む。
【００８０】
表示領域ＡＡは、表示パネル１２０で映像が表示される領域である。表示領域ＡＡには、複数の画素を構成する複数のサブ画素及び複数のサブ画素を駆動するための駆動回路が配置され得る。複数のサブ画素は、表示領域ＡＡを構成する最小単位であり、複数のサブ画素のそれぞれに表示素子が配置され得る。例えば、複数のサブ画素のそれぞれには、アノード、有機発光層及びカソードを含む有機発光素子が配置され得るが、これに限定されるものではない。また、複数のサブ画素を駆動するための駆動回路には、駆動素子及び配線等が含まれ得る。例えば、駆動回路は、薄膜トランジスタ、ストレージキャパシタ、ゲート配線、データ配線等からなり得るが、これに限定されるものではない。
【００８１】
非表示領域ＮＡは、映像が表示されない領域である。非表示領域ＮＡには、表示領域ＡＡの有機発光素子を駆動するための多様な配線及び回路等が配置される。例えば、非表示領域ＮＡには、表示領域ＡＡの複数のサブ画素及び駆動回路に信号を伝達するためのリンク配線またはゲートドライバＩＣ、データドライバＩＣのような駆動ＩＣ１３１等が配置され得るが、これに限定されるものではない。
【００８２】
非表示領域ＮＡは、パッド領域ＮＡ１を含む。パッド領域ＮＡ１は、複数のパッドが配置される領域であり、非表示領域ＮＡのうち表示パネル１２０の一端の非表示領域ＮＡであってよい。複数のパッドは、少なくとも一つのフレキシブルフィルム１３０と表示パネル１２０を電気的に連結するための電極であり、複数のパッドを通して少なくとも一つのフレキシブルフィルム１３０と表示パネル１２０が電気的に連結され得る。ただし、パッド領域ＮＡ１は、フレキシブルフィルム１３０の配置によって非表示領域ＮＡの他の部分に形成されてもよく、これに限定されない。
【００８３】
図６を参照すると、表示パネル１２０は、基板１２１、バッファ層１２２、画素部１２３、封止層１２４及び封止基板１２５を含む。
【００８４】
基板１２１は、表示パネル１２０の多様な構成を支持するためのベース部材であり、絶縁物質で構成され得る。基板１２１は、表示パネル１２０がワインディングまたはアンワインディングされるために、フレキシビリティを有する物質からなり得る。例えば、基板１２１は、ポリイミド（ｐｌｏｙｉｍｉｄｅ；ＰＩ）等のようなプラスチック物質からなり得る。
【００８５】
基板１２１の上面にバッファ層１２２が配置される。バッファ層１２２は、基板１２１の外側から浸透した水分および／または酸素が拡散されることを防止できる。バッファ層１２２は、無機物質からなり得、例えば、バッファ層１２２は、シリコン酸化物（ＳｉＯｘ）またはシリコン窒化物（ＳｉＮｘ）の単層や複層で構成され得るが、これに限定されるものではない。
【００８６】
基板１２１及びバッファ層１２２の上面に画素部１２３が配置される。画素部１２３は、複数の有機発光素子及び有機発光素子を駆動するための回路を含む。画素部１２３は、表示領域ＡＡに対応するように配置され得る。
【００８７】
一方、有機発光素子で発光された光が放出される方向によって、表示パネル１２０は、トップエミッション（ｔｏｐ  ｅｍｉｓｓｉｏｎ）またはボトムエミッション（ｂｏｔｔｏｍ  ｅｍｉｓｓｉｏｎ）方式で構成され得る。
【００８８】
トップエミッション方式は、有機発光素子で発光された光が、有機発光素子が形成された基板１２１の上部に発光される方式である。トップエミッション方式である場合、有機発光素子で発光された光を基板１２１の上部に、即ち、カソード側に進行させるために、アノードの下部に反射層が形成され得る。
【００８９】
ボトムエミッション方式は、有機発光素子で発光された光が、有機発光素子が形成された基板１２１の下部に発光される方式である。ボトムエミッション方式である場合、有機発光素子で発光された光を基板１２１の下部に進行させるために、アノードは、透明導電性物質だけからなり得、カソードが反射率の高い金属物質からなり得る。
【００９０】
以下においては、説明の便宜のために、本発明の一実施例に係る表示装置１００がボトムエミッション方式の表示装置１００であるものと仮定して説明するが、これに限定されるものではない。
【００９１】
画素部１２３を覆うように封止層１２４が配置される。封止層１２４は、画素部１２３の有機発光素子を密封する。封止層１２４は、外部の湿気、酸素、衝撃等から画素部１２３の有機発光素子を保護することができる。封止層１２４は、複数の無機層と複数の有機層が交互に積層されて形成され得る。例えば、無機層は、シリコン窒化物（ＳｉＮｘ）、シリコン酸化物（ＳｉＯｘ）、アルミニウム酸化物（ＡｌＯｘ）等のような無機物からなり得、有機層は、エポキシ（Ｅｐｏｘｙ）系列またはアクリル（Ａｃｒｙｌ）系列のポリマーが使用され得るが、これに限定されるものではない。
【００９２】
封止層１２４上に封止基板１２５が配置される。具体的には、封止層１２４とバックカバー１１０との間に封止基板１２５が配置される。封止基板１２５は、封止層１２４と共に画素部１２３の有機発光素子を保護することができる。封止基板１２５は、外部の湿気、酸素、衝撃等から画素部１２３の有機発光素子を保護することができる。例えば、封止基板１２５は、約２００〜９００ＭＰａの高いモジュラスを有する物質からなり得、封止基板１２５は、耐腐食性が強く、ホイル（ｆｏｉｌ）あるいは薄膜形態に加工が容易なアルミニウム（Ａｌ）、ニッケル（Ｎｉ）、クロム（Ｃｒ）、鉄（Ｆｅ）とニッケルの合金材質等の金属材質からなり得る。そこで、封止基板１２５を金属材質で形成することで超薄膜形態に封止基板１２５の具現が可能であり、外部の衝撃及びスクラッチに強い耐保護性が提供され得る。
【００９３】
封止層１２４と封止基板１２５との間に第１接着層ＡＤ１が配置される。第１接着層ＡＤ１は、封止層１２４と封止基板１２５を接着させることができる。第１接着層ＡＤ１は、接着性を有する物質からなり、熱硬化型または自然硬化型の接着剤であってよい。例えば、第１接着層ＡＤ１は、ＯＣＡ（Ｏｐｔｉｃａｌ  Ｃｌｅａｒ  Ａｄｈｅｓｉｖｅ）、ＰＳＡ（Ｐｒｅｓｓｕｒｅ  Ｓｅｎｓｉｔｉｖｅ  Ａｄｈｅｓｉｖｅ）等からなり得るが、これに限定されるものではない。
【００９４】
一方、第１接着層ＡＤ１は、封止層１２４及び画素部１２３を囲むように配置され得る。即ち、画素部１２３は、バッファ層１２２及び封止層１２４により密封され得、封止層１２４及び画素部１２３は、バッファ層１２２と第１接着層ＡＤ１により密封され得る。第１接着層ＡＤ１は、封止層１２４及び封止基板１２５と共に画素部１２３の有機発光素子を外部の湿気、酸素、衝撃等から保護することができる。このとき、第１接着層ＡＤ１は、吸湿剤をさらに含むことができる。吸湿剤は、吸湿性を有するパーティクルであってよく、外部から水分及び酸素等を吸収して、画素部１２３に水分及び酸素が浸透することを最小化することができる。
【００９５】
封止基板１２５とバックカバー１１０との間に第２接着層ＡＤ２が配置される。第２接着層ＡＤ２は、封止基板１２５とバックカバー１１０を接着させることができる。第２接着層ＡＤ２は、接着性を有する物質からなり、熱硬化型または自然硬化型の接着剤であってよい。例えば、第２接着層ＡＤ２は、ＯＣＡ（Ｏｐｔｉｃａｌ  Ｃｌｅａｒ  Ａｄｈｅｓｉｖｅ）、ＰＳＡ（Ｐｒｅｓｓｕｒｅ  Ｓｅｎｓｉｔｉｖｅ  Ａｄｈｅｓｉｖｅ）等からなり得るが、これに限定されるものではない。
【００９６】
図６においては、バックカバー１１０の複数の開口部１１１に第２接着層ＡＤ２が満たされていないものと示したが、第２接着層ＡＤ２がバックカバー１１０の複数の開口部１１１の一部または全体に満たされ得る。仮に、第２接着層ＡＤ２がバックカバー１１０の複数の開口部１１１の内側に満たされる場合、第２接着層ＡＤ２とバックカバー１１０間の接触面積が増加して第２接着層ＡＤ２とバックカバー１１０間の剥離現象が防止され得る。
【００９７】
一方、図面に示されてはいないが、表示パネル１２０の背面に偏光板が配置され得る。偏光板は、選択的に光を透過させて、表示パネル１２０に入射する外部光の反射を低減させることができる。具体的には、表示パネル１２０は、半導体素子、配線、有機発光素子等に適用される多様な金属物質を含む。そこで、表示パネル１２０に入射した外光は金属物質から反射し得、外光の反射によって表示装置１００の視認性が低減し得る。しかし、偏光板が配置される場合、偏光板は、外光の反射を防止して、表示装置１００の野外視認性を高めることができる。ただし、偏光板は、表示装置１００の具現例によって省略されてもよい。
【００９８】
図４、図７及び図８を参照すると、表示パネル１２０の一端に少なくとも一つ以上のフレキシブルフィルム１３０が配置される。例えば、フレキシブルフィルム１３０は、設計によって１個が配置されてもよく、複数個が配置されてもよい。以下においては、説明の便宜のために、複数のフレキシブルフィルム１３０が配置されたものと説明するが、フレキシブルフィルム１３０の個数は、設計によって多様に変更され得、これに限定されない。
【００９９】
複数のフレキシブルフィルム１３０は、表示パネル１２０の一面でパッド領域ＮＡ１と電気的に連結され得る。複数のフレキシブルフィルム１３０の表示パネル１２０の一面のパッド領域ＮＡ１で基板１２１及びバッファ層１２２上に配置され得る。複数のフレキシブルフィルム１３０は、延性を有するベースフィルムに各種の部品が配置され、表示領域ＡＡの複数の画素を構成する複数のサブ画素及び駆動回路に信号を供給するためのフィルムであり、表示パネル１２０と電気的に連結され得る。複数のフレキシブルフィルム１３０は、表示パネル１２０の非表示領域ＮＡに一端が配置され、電源電圧、データ電圧等を表示領域ＡＡの複数のサブ画素及び駆動回路に供給できる。
【０１００】
一方、複数のフレキシブルフィルム１３０には、ゲートドライバＩＣ、データドライバＩＣのような駆動ＩＣ１３１が配置され得る。駆動ＩＣ１３１は、映像を表示するためのデータとそれを処理するための駆動信号を処理する部品である。駆動ＩＣ１３１は、実装される方式によってチップオングラス（Ｃｈｉｐ  Ｏｎ  Ｇｌａｓｓ；ＣＯＧ）、チップオンフィルム（Ｃｈｉｐ  Ｏｎ  Ｆｉｌｍ；ＣＯＦ）、テープキャリアパッケージ（Ｔａｐｅ  Ｃａｒｒｉｅｒ  Ｐａｃｋａｇｅ；ＴＣＰ）等の方式で配置され得る。ただし、説明の便宜のために、駆動ＩＣ１３１が複数のフレキシブルフィルム１３０上に実装されたチップオンフィルム方式であるものと説明したが、これに限定されるものではない。
【０１０１】
印刷回路基板１４０は、第１バックカバー１１０ａの第２支持領域ＰＡ２から第２バックカバー１１０ｂの第３支持領域ＰＡ３にまで配置され、複数のフレキシブルフィルム１３０と連結される。印刷回路基板１４０は、駆動ＩＣ１３１に信号を供給する部品である。印刷回路基板１４０は、駆動信号、データ信号等のような多様な信号を駆動ＩＣ１３１に供給するための各種の部品が配置され得る。一方、図４においては、印刷回路基板１４０が１個であるものと示したが、印刷回路基板１４０の個数は、設計によって多様に変更され得、これに限定されるものではない。
【０１０２】
一方、図４には示されていないが、印刷回路基板１４０と連結される追加印刷回路基板がさらに配置され得る。例えば、印刷回路基板１４０は、データ駆動部が実装されるソース印刷回路基板（Ｓｏｕｒｃｅ  ＰＣＢ；Ｓ−ＰＣＢ）と称され得る。印刷回路基板１４０と連結される追加印刷回路基板は、タイミングコントローラ等が実装されるコントロール印刷回路基板（Ｃｏｎｔｒｏｌ  ＰＣＢ；Ｃ−ＰＣＢ）と称され得る。追加印刷回路基板は、ローラー１７１内に配置されてもよく、ローラー１７１の外部でハウジング部ＨＰ内に配置されるか、印刷回路基板１４０と直接接するように配置されてもよい。
【０１０３】
図７及び図８を共に参照すると、パッド領域ＮＡ１で複数のフレキシブルフィルム１３０を覆うようにマイクロシール部材ＭＳが配置される。マイクロシール部材ＭＳは、非表示領域ＮＡで表示領域ＡＡを囲むように配置され得る。マイクロシール部材ＭＳは、表示パネル１２０の側面を囲むように配置され、平面上で表示パネル１２０の形状に対応する環状に形成され得るが、これに限定されない。マイクロシール部材ＭＳは、基板１２１及びバッファ層１２２上に配置された複数のフレキシブルフィルム１３０の一端を覆うように配置され、緩衝パッドＢＰと重畳し得る。マイクロシール部材ＭＳは、弾性を有する非伝導性物質からなってもよく、接着性を有する物質からなってもよい。マイクロシール部材ＭＳは、表示パネル１２０の側部を通した透湿を最小化するように吸湿剤をさらに含むこともできる。例えば、マイクロシール部材ＭＳは、ポリイミド（ＰＩ）、ポリウレタン（ｐｏｌｙｕｒｅｔｈａｎｅ）、エポキシ（Ｅｐｏｘｙ）、アクリル（Ａｃｒｙｌ）系列の物質からなり得るが、これに限定されない。
【０１０４】
図４及び図７を共に参照すると、フィルムカバー１５０は、表示パネル１２０の一端から印刷回路基板１４０まで配置され、複数のフレキシブルフィルム１３０及びパッド領域ＮＡ１を覆う。フィルムカバー１５０は、表示パネル１２０の一面の反対面でパッド領域ＮＡ１の少なくとも一部と複数のフレキシブルフィルム１３０を覆うことができる。フィルムカバー１５０は、延性を有するプラスチックフィルムであってよく、例えば、ポリエチレン（ｐｏｌｙｅｔｈｙｌｅｎｅ；ＰＥ）、ポリエチレンテレフタレート（ｐｏｌｙｅｔｈｙｌｅｎｅ  ｔｅｒｅｐｈｔｈａｌａｔｅ；ＰＥＴ）、ポリ塩化ビニル（ｐｏｌｙｖｉｎｙｌ  ｃｈｌｏｒｉｄｅ；ＰＶＣ）、ポリビニルアルコール（ｐｏｌｙｖｉｎｙｌ  ａｌｃｏｈｏｌ；ＰＶＡ）、ポリカーボネート（ｐｏｌｙｃａｒｂｏｎａｔｅ；ＰＣ）、ポリスチレン（ｐｏｌｙｓｔｙｒｅｎｅ；ＰＳ）、ポリウレタン（ｐｏｌｙｕｒｅｔｈａｎｅ；ＰＵＲ）等のプラスチック物質からなり得るが、これに限定されない。
【０１０５】
フィルムカバー１５０は、パッド領域ＮＡ１からカバー部１６０の内側まで延びて配置される。フィルムカバー１５０の一端は、パッド領域ＮＡ１に重畳し、フィルムカバー１５０の他端は、カバー部１６０の内側に延びて印刷回路基板１４０の少なくとも一部分と重畳し得る。
【０１０６】
このとき、フィルムカバー１５０は、第１接着部材Ａ１を通して表示パネル１２０の一端に固定され得る。第１接着部材Ａ１は、接着性を有する物質からなり、熱硬化型または自然硬化型の接着剤またはこのような接着剤を含むテープであってよいが、これに限定されない。
【０１０７】
フィルムカバー１５０は、カバー部１６０によりカバー部１６０の内側に固定され得る。例えば、カバー部１６０とフィルムカバー１５０を貫通する締結部材によりフィルムカバー１５０がカバー部１６０の内側に固定され得るが、フィルムカバー１５０の固定方式は、これに限定されない。
【０１０８】
図６及び図７を参照すると、カバー部１６０は、第１バックカバー１１０ａの第２支持領域ＰＡ２と第２バックカバー１１０ｂの第３支持領域ＰＡ３に配置され、印刷回路基板１４０を収納する。印刷回路基板１４０及び印刷回路基板１４０に対応するバックカバー１１０の一部は、カバー部１６０内に挿入され得る。カバー部１６０は、印刷回路基板１４０を覆うように配置され、印刷回路基板１４０を保護することができる。
【０１０９】
カバー部１６０は、ベースプレート１６１、ボトムプレート１６２及びカバープレート１６３を含む。
【０１１０】
ベースプレート１６１は、バックカバー１１０の一面の反対面に配置される。ベースプレート１６１は、表示パネル１２０が配置されていないバックカバー１１０の一面の反対面で第２支持領域ＰＡ２及び第３支持領域ＰＡ３に固定され得る。ベースプレート１６１は、バックカバー１１０を挟んで印刷回路基板１４０と重畳するように配置され得る。ベースプレート１６１は、第２支持領域ＰＡ２と第３支持領域ＰＡ３との間に配置された印刷回路基板１４０を支持することができる。例えば、ベースプレート１６１は、剛性を有する材質からなり、第２支持領域ＰＡ２、第３支持領域ＰＡ３及び第２支持領域ＰＡ２と第３支持領域ＰＡ３との間を平らに支持することができるが、これに限定されるものではない。
【０１１１】
ボトムプレート１６２は、バックカバー１１０の一面に配置される。ボトムプレート１６２は、バックカバー１１０の第２支持領域ＰＡ２及び第３支持領域ＰＡ３上に配置された印刷回路基板１４０を支持するように配置され得る。ボトムプレート１６２は、印刷回路基板１４０とバックカバー１１０との間に配置され得る。ボトムプレート１６２は、印刷回路基板１４０が流動しないように印刷回路基板１４０が安着される溝を有することができる。即ち、ボトムプレート１６２は、印刷回路基板１４０が安着される部分が凹んでいてよい。従って、ボトムプレート１６２に配置された印刷回路基板１４０は、流動が最小化され、安定的に配置され得る。ただし、ボトムプレート１６２は、溝が形成されず、平らになされてもよく、これに限定されるものではない。
【０１１２】
カバープレート１６３は、バックカバー１１０の一面に配置される。カバープレート１６３は、印刷回路基板１４０を覆うように配置され、凸な形状に形成され得る。即ち、カバープレート１６３の一面は、曲面状に形成され得る。カバープレート１６３は、表示パネル１２０及び印刷回路基板１４０が配置されたバックカバー１１０の一面で第３支持領域ＰＡ３とベースプレート１６１に固定され得る。カバープレート１６３は、剛性を有する材質からなり印刷回路基板１４０を保護することができるが、これに限定されるものではない。
【０１１３】
一方、カバー部１６０とバックカバー１１０は、互いに固定され得る。例えば、第２支持領域ＰＡ２及び第３支持領域ＰＡ３のそれぞれに第２締結ホールＡＨ２及び第３締結ホールＡＨ３が形成され、ベースプレート１６１またはボトムプレート１６２から突出した突起が固定ホールに挿入される方式でカバー部１６０と第１バックカバー１１０ａ及び第２バックカバー１１０ｂが互いに固定され得る。また、他の例を挙げて、ベースプレート１６１、ボトムプレート１６２、カバープレート１６３及びバックカバー１１０を貫通するスクリューのような部材によりカバー部１６０とバックカバー１１０が互いに固定されてもよい。このとき、スクリューのような締結部材は、印刷回路基板１４０と干渉されないように配置され得る。ただし、カバー部１６０及びバックカバー１１０は、多様な方式で固定され得、これに限定されるものではない。
【０１１４】
図４、図７及び図８を共に参照すると、表示パネル１２０のパッド領域ＮＡ１に配置され、フィルムカバー１５０で覆われた緩衝パッドＢＰが配置される。緩衝パッドＢＰは、表示パネル１２０と重畳する複数のフレキシブルフィルム１３０の一部分に重畳し得る。緩衝パッドＢＰは、複数のフレキシブルフィルム１３０を覆うマイクロシール部材ＭＳの少なくとも一部と重畳し得る。緩衝パッドＢＰは、パッド領域ＮＡ１で第１接着部材Ａ１と表示パネル１２０のエッジとの間に配置され得る。緩衝パッドＢＰは、表示装置１００のワインディング及びアンワインディング時、複数のフレキシブルフィルム１３０と連結されたパッド領域ＮＡ１に加えられる衝撃を吸収してパッド領域ＮＡ１及び複数のフレキシブルフィルム１３０を保護する部材である。例えば、緩衝パッドＢＰは、表示装置１００のワインディング時、パッド領域ＮＡ１上にワインディングされる表示パネル１２０及びバックカバー１１０の一部分またはフィルムカバー１５０からパッド領域ＮＡ１に加えられる衝撃を緩和してパッド領域ＮＡ１及び複数のフレキシブルフィルム１３０を保護することができる。緩衝パッドＢＰは、物理的な衝撃を吸収するように複数の気泡を含むフォームテープからなり得るが、これに限定されない。
【０１１５】
緩衝パッドＢＰは、第２接着部材Ａ２を通して表示パネル１２０の一端に固定され得る。第２接着部材Ａ２は、接着性を有する物質からなり、熱硬化型または自然硬化型の接着剤またはこのような接着剤を含むテープであってよいが、これに限定されない。
【０１１６】
カバー部１６０は、表示部ＤＰのワインディング時、曲げられずに元の状態を維持して印刷回路基板１４０を保護することができる。表示部ＤＰのワインディング時、剛性を有するカバー部１６０のカバープレート１６３は、変形されずに元の凸な形状を維持して印刷回路基板１４０を保護することができる。そして、凸な形状のカバープレート１６３は、カバープレート１６３上にワインディングされるバックカバー１１０及び表示パネル１２０の一部分が印刷回路基板１４０に衝撃を加えないように印刷回路基板１４０を保護することができる。
【０１１７】
次に、表示部ＤＰのワインディング時、剛性を有するカバー部１６０のベースプレート１６１は、曲げられずに平らな状態を維持して印刷回路基板１４０を保護することができる。そして、ベースプレート１６１が曲げられないように、ベースプレート１６１がワインディングされるローラー１７１の一部分は、平面状に形成され得る。例えば、ローラー１７１は、第１平面部１７１Ｆａ、第２平面部１７１Ｆｂ及び曲面部１７１Ｒからなり得、ベースプレート１６１は、第２平面部１７１Ｆｂに安着され、表示部ＤＰがワインディングされても曲げられずに平らな状態を維持できる。
【０１１８】
表示パネル１２０の一端のパッド領域ＮＡ１は、表示部ＤＰのワインディング時、曲げられず、元の状態を維持できる。具体的には、表示部ＤＰのワインディング時、表示パネル１２０のパッド領域ＮＡ１が曲げられないように、パッド領域ＮＡ１を含む表示パネル１２０の一部分がワインディングされるローラー１７１の一部分は、平面状に形成され得る。例えば、パッド領域ＮＡ１を含む表示パネル１２０の一部分は、ローラー１７１の第１平面部１７１Ｆａに安着され、表示部ＤＰがワインディングされても平らな状態を維持できる。
【０１１９】
以下においては、図９を参照して、表示部ＤＰがローラー１７１にワインディングされた状態を詳細に説明する。
【０１２０】
＜バックカバー及び表示パネルのワインディング＞
図９は、本発明の一実施例に係る表示装置の断面図である。図９は、ローラー１７１に第２バックカバー１１０ｂ及び第１バックカバー１１０ａの第２支持領域ＰＡ２がワインディングされた状態での断面図である。
【０１２１】
図９を参照すると、ローラー１７１は、全体的に円筒形状であるが、一部分が平面状に形成され得る。ローラー１７１の外周面の一部分は、平らに形成された第１平面部１７１Ｆａ及び第２平面部１７１Ｆｂからなり、外周面の残りの部分は、曲面状に形成された曲面部１７１Ｒからなる。例えば、第２平面部１７１Ｆｂは、第１平面部１７１Ｆａの一端から延びて、曲面部１７１Ｒは、第１平面部１７１Ｆａの他端から第２平面部１７１Ｆｂに向かって延び得る。
【０１２２】
このとき、第１平面部１７１Ｆａは、パッド領域ＮＡ１を含む表示パネル１２０の一部分がワインディングされる領域であり、第２平面部１７１Ｆｂは、印刷回路基板１４０及びカバー部１６０がワインディングされる領域であってよい。
【０１２３】
ローラー１７１の第１平面部１７１Ｆａ及び第２平面部１７１Ｆｂのうち一つに第２バックカバー１１０ｂの第４支持領域ＰＡ４が締結される。例えば、ローラー１７１の第１平面部１７１Ｆａに第４支持領域ＰＡ４が締結されてもよく、ローラー１７１の第２平面部１７１Ｆｂに第４支持領域ＰＡ４が締結されてもよい。以下においては、第２平面部１７１Ｆｂに第２バックカバー１１０ｂの第４支持領域ＰＡ４が締結されたものと仮定して説明するが、これに限定されるものではない。
【０１２４】
第２バックカバー１１０ｂの第４支持領域ＰＡ４は、ローラー１７１の第２平面部１７１Ｆｂにワインディングされ、第４支持領域ＰＡ４から延びた第２延性領域ＭＡ２は、第１平面部１７１Ｆａ及び曲面部１７１Ｒにワインディングされ得る。
【０１２５】
そして、第２延性領域ＭＡ２から延びた第３支持領域ＰＡ３は、第２平面部１７１Ｆｂにワインディングされた第４支持領域ＰＡ４上にワインディングされ得る。第３支持領域ＰＡ３のように第１バックカバー１１０ａの第２支持領域ＰＡ２もまた第２平面部１７１Ｆｂにワインディングされた第４支持領域ＰＡ４上にワインディングされ得る。
【０１２６】
次に、第２支持領域ＰＡ２から延びた第１延性領域ＭＡ１の一部分は、第１平面部１７１Ｆａにワインディングされた第２延性領域ＭＡ２上にワインディングされ得る。
【０１２７】
カバー部１６０及び印刷回路基板１４０が配置された第２支持領域ＰＡ２、第３支持領域ＰＡ３及び第２支持領域ＰＡ２と第３支持領域ＰＡ３との間は、ローラー１７１の第２平面部１７１Ｆｂにワインディングされるので、印刷回路基板１４０及びカバー部１６０は、平らな状態を維持できる。
【０１２８】
複数のフレキシブルフィルム１３０と連結されたパッド領域ＮＡ１を含む表示パネル１２０の一部は、ローラー１７１の第１平面部１７１Ｆａにワインディングされるので、パッド領域ＮＡ１を含む表示パネル１２０の一部分は、平らな状態を維持できる。
【０１２９】
仮に、パッド領域ＮＡ１を含む表示パネル１２０の一部分が曲面部１７１Ｒにワインディングされる場合、繰り返したワインディング及びアンワインディングによりパッド領域ＮＡ１及びパッド領域ＮＡ１に連結された複数のフレキシブルフィルム１３０に衝撃が加えられ得、パッド領域ＮＡ１と複数のフレキシブルフィルム１３０の接触不良が発生し得る。そこで、パッド領域ＮＡ１を含む表示パネル１２０の一部分が常に平らな状態を維持するように、第１平面部１７１Ｆａの面積を確保して表示パネル１２０及び複数のフレキシブルフィルム１３０の損傷を最小化することができる。
【０１３０】
従って、表示パネル１２０のパッド領域ＮＡ１、複数のフレキシブルフィルム１３０の少なくとも一部、印刷回路基板１４０及びカバー部１６０は、表示部ＤＰのワインディングまたはアンワインディングされることと関係なく常に平らに維持され得、パッド領域ＮＡ１及び印刷回路基板１４０が曲げられることで損傷されることが最小化され得る。
【０１３１】
そして、複数のフレキシブルフィルム１３０及びフィルムカバー１５０は、バックカバー１１０に密着しないように表示パネル１２０と印刷回路基板１４０との間の直線距離よりも長く形成されるため、第１平面部１７１Ｆａと第２平面部１７１Ｆｂの境界で曲率半径による損傷が最小化され得る。具体的には、フィルムカバー１５０及び複数のフレキシブルフィルム１３０の長さは、表示パネル１２０と印刷回路基板１４０との間の直線距離よりも長く形成され得る。複数のフレキシブルフィルム１３０の長さは、表示パネル１２０のエッジから印刷回路基板１４０のエッジまでの距離よりも長くなり得る。それゆえ、図７に示されたように、表示部ＤＰがフルアンワインディングされた状態で、複数のフレキシブルフィルム１３０は、第２支持領域ＰＡ２に密着しなくなり得る。そして、図９に示されたように、表示部ＤＰがワインディングされても、複数のフレキシブルフィルム１３０は、バックカバー１１０に密着していないため、第１平面部１７１Ｆａと第２平面部１７１Ｆｂの曲率半径より大きな曲率半径で曲げられ得る。
【０１３２】
仮に、複数のフレキシブルフィルム１３０及びフィルムカバー１５０の長さが表示パネル１２０のエッジから印刷回路基板１４０のエッジの間の長さと同一である場合、複数のフレキシブルフィルム１３０及びフィルムカバー１５０は、バックカバー１１０に密着し得る。そして、表示部ＤＰをワインディングする場合、複数のフレキシブルフィルム１３０及びフィルムカバー１５０は、第１平面部１７１Ｆａと第２平面部１７１Ｆｂの曲率半径に沿って曲げられ得、複数のフレキシブルフィルム１３０及びフィルムカバー１５０に加えられるストレスが大きくなり得る。従って、複数のフレキシブルフィルム１３０及びフィルムカバー１５０の長さを表示パネル１２０と印刷回路基板１４０との間の直線距離よりも長く形成して複数のフレキシブルフィルム１３０及びフィルムカバー１５０がバックカバー１１０と密着しないようにすることができ、表示部ＤＰのワインディング時、複数のフレキシブルフィルム１３０に加えられるストレスを緩和できる。
【０１３３】
また、表示パネル１２０と印刷回路基板１４０との間に配置されたフィルムカバー１５０の一部分の長さは、表示パネル１２０と印刷回路基板１４０との間に配置された複数のフレキシブルフィルム１３０の一部分の長さよりも長くなり得る。フィルムカバー１５０は、表示パネル１２０と印刷回路基板１４０との間の直線距離及びフレキシブルフィルム１３０の長さより長い長さを有して、表示装置１００のワインディング時、複数のフレキシブルフィルム１３０を押圧するか、表示パネル１２０のパッド領域ＮＡ１を引っ張らなくなり得る。仮に、表示パネル１２０と印刷回路基板１４０との間に重畳するフィルムカバー１５０の一部分の長さが表示パネル１２０と印刷回路基板１４０との間の直線距離と同一である場合、表示装置１００のワインディング時、バックカバー１１０より大きな曲率半径でワインディングされるフィルムカバー１５０は、パッド領域ＮＡ１を引っ張るか複数のフレキシブルフィルム１３０を押圧して表示パネル１２０及び複数のフレキシブルフィルム１３０の損傷を引き起こし得る。従って、フィルムカバー１５０の長さを長く構成して、表示装置１００のワインディング時、フィルムカバー１５０に作用する応力を最小化し、フィルムカバー１５０の応力による表示パネル１２０及び複数のフレキシブルフィルム１３０の損傷を最小化することができる。
【０１３４】
本発明の一実施例に係る表示装置１００は、表示部ＤＰのワインディング時、平らな状態を維持する表示パネル１２０の面積を向上させ、表示パネル１２０及び複数のフレキシブルフィルム１３０の損傷を最小化することができる。具体的には、ローラー１７１に２つの平面部１７１Ｆａ、１７１Ｆｂを形成し、第２平面部１７１Ｆｂ上に印刷回路基板１４０を配置して、パッド領域ＮＡ１とパッド領域ＮＡ１に隣接した表示パネル１２０の一部分を第１平面部１７１Ｆａ上にワインディングできる空間を確保することができる。このとき、第１平面部１７１Ｆａ上には、印刷回路基板１４０やカバー部１６０のような他の構成要素が配置される代わりにパッド領域ＮＡ１を含む表示パネル１２０の一部分だけがワインディングされ得る。そこで、表示部ＤＰがローラー１７１にワインディングされるとき、パッド領域ＮＡ１及びパッド領域ＮＡ１から延びた表示パネル１２０の一部分は平らな状態を維持でき、曲面部１７１Ｒにワインディングされた表示パネル１２０の残りの部分からのストレスがパッド領域ＮＡ１に伝達されることが最小化され得る。従って、本発明の一実施例に係る表示装置１００においては、第１平面部１７１Ｆａ上にパッド領域ＮＡ１を含む表示パネル１２０だけがワインディングされるように設計して、常に平らな状態を維持する表示パネル１２０の面積を向上させることができ、パッド領域ＮＡ１に伝達されるストレスを最小化して、パッド領域ＮＡ１及び複数のフレキシブルフィルム１３０の損傷を最小化することができる。
【０１３５】
本発明の一実施例に係る表示装置１００においては、フィルムカバー１５０を配置して複数のフレキシブルフィルム１３０を保護しながらも第１平面部１７１Ｆａ上にワインディングされる表示パネル１２０の面積を向上させることができる。表示部ＤＰのワインディング時、複数のフレキシブルフィルム１３０及びパッド領域ＮＡ１上に表示パネル１２０及びバックカバー１１０の他の部分がワインディングされ得る。このとき、複数のフレキシブルフィルム１３０及びパッド領域ＮＡ１を覆うフィルムカバー１５０を配置してバックカバー１１０の他の部分の背面と複数のフレキシブルフィルム１３０が互いに干渉されないように保護することができる。このとき、第１平面部１７１Ｆａ上にワインディングされる表示パネル１２０の面積を減少させるスクリューのような締結部材の代わりに第１接着部材Ａ１を利用してフィルムカバー１５０の固定構造を簡素化できる。フィルムカバー１５０は、プラスチック系列の物質からなる軽い延性フィルムであり、スクリューのような部材の代わりに第１接着部材Ａ１を利用するだけでも表示パネル１２０上に容易に固定させることができる。従って、別途のスクリューを使用しなくてもフィルムカバー１５０を容易に表示パネル１２０上に固定させることができるので、第１平面部１７１Ｆａ上にワインディングされる表示パネル１２０の面積を減少させないながらもフィルムカバー１５０を配置して複数のフレキシブルフィルム１３０及びパッド領域ＮＡ１を保護することができる。
【０１３６】
また、本発明の一実施例に係る表示装置１００においては、表示パネル１２０と印刷回路基板１４０との間の直線距離及び複数のフレキシブルフィルム１３０の長さより長い長さのフィルムカバー１５０を配置して、フィルムカバー１５０による複数のフレキシブルフィルム１３０及びパッド領域ＮＡ１の損傷を最小化することができる。具体的には、フィルムカバー１５０を複数のフレキシブルフィルム１３０の長さより長い長さに形成して、表示部ＤＰのワインディング時、複数のフレキシブルフィルム１３０にフィルムカバー１５０が密着しないようにすることができる。印刷回路基板１４０と表示パネル１２０との間に重畳するフィルムカバー１５０の一部分の長さは、印刷回路基板１４０と表示パネル１２０との間に重畳する複数のフレキシブルフィルム１３０の一部分の長さよりも長くなり得る。それゆえ、表示部ＤＰのワインディング時、フィルムカバー１５０の長さが複数のフレキシブルフィルム１３０の長さより長いため、フィルムカバー１５０は、複数のフレキシブルフィルム１３０に密着しなくなり得る。また、表示パネル１２０と印刷回路基板１４０との間に重畳するフィルムカバー１５０の一部分の長さが表示パネル１２０と印刷回路基板１４０との間の直線距離より長いため、フィルムカバー１５０がローラー１７１に密着しなくなり得、パッド領域ＮＡ１に張力を印加しなくなり得る。従って、本発明の一実施例に係る表示装置１００においては、フィルムカバー１５０の長さを複数のフレキシブルフィルム１３０の長さよりも長く形成して、表示部ＤＰのワインディング時、フィルムカバー１５０が複数のフレキシブルフィルム１３０に密着してストレスを与えるか、パッド領域ＮＡ１にストレスを伝達することを最小化することができる。
【０１３７】
本発明の一実施例に係る表示装置１００においては、緩衝パッドＢＰを配置して、パッド領域ＮＡ１及び複数のフレキシブルフィルム１３０に加えられた衝撃を吸収し、パッド領域ＮＡ１及び複数のフレキシブルフィルム１３０を保護することができる。物理的な衝撃を吸収するようにフォームテープからなる緩衝パッドＢＰは、フィルムカバー１５０とパッド領域ＮＡ１との間に配置される。そして、このような緩衝パッドＢＰは、パッド領域ＮＡ１及び複数のフレキシブルフィルム１３０に重畳するように配置され、パッド領域ＮＡ１及び複数のフレキシブルフィルム１３０に加えられる衝撃を吸収できる。仮に、緩衝パッドＢＰが配置されない場合、表示部ＤＰのワインディング時、パッド領域ＮＡ１上にワインディングされる表示パネル１２０の一部分、バックカバー１１０の一部分、またはフィルムカバー１５０等から衝撃が複数のフレキシブルフィルム１３０がボンディングされたパッド領域ＮＡ１に伝達され得、パッド領域ＮＡ１及び複数のフレキシブルフィルム１３０の損傷につながり得る。従って、本発明の一実施例に係る表示装置１００においては、パッド領域ＮＡ１上に複数のフレキシブルフィルム１３０と重畳する緩衝パッドＢＰを配置して、パッド領域ＮＡ１に伝達される衝撃を吸収し、パッド領域ＮＡ１及び複数のフレキシブルフィルム１３０を保護することができる。
【０１３８】
本発明の一実施例に係る表示装置１００は、パッド領域ＮＡ１を含む表示パネル１２０の一部分及び印刷回路基板１４０のそれぞれが安着されるローラー１７１の第１平面部１７１Ｆａ及び第２平面部１７１Ｆｂを別に形成して、平らな状態を維持する表示パネル１２０の面積及び印刷回路基板１４０の設計マージンを確保することができる。ローラー１７１に一つの平面部を形成する場合より、パッド領域ＮＡ１を含む表示パネル１２０の一部分が安着される第１平面部１７１Ｆａと印刷回路基板１４０が安着される第２平面部１７１Ｆｂのそれぞれを形成する場合で、パッド領域ＮＡ１を含む表示パネル１２０の一部分及び印刷回路基板１４０を配置できる領域の面積が増加し得る。仮に、ローラー１７１に一つの平面部だけが形成されるならば、印刷回路基板１４０のサイズを平面部の面積によって縮小しなければならず、平面部上にワインディングされる表示パネル１２０の面積が減少し得る。従って、本発明の一実施例に係る表示装置１００においては、第１平面部１７１Ｆａ及び第２平面部１７１Ｆｂを別に形成して、表示部ＤＰのワインディング時、平らな状態を維持する表示パネル１２０の面積を向上させ、印刷回路基板１４０の設計マージンを確保することができる。
【０１３９】
＜フィルムカバー＞
図１０は、本発明の他の実施例に係る表示装置の表示部の平面図である。図１０の表示装置１０００は、図１乃至図９の表示装置１００と比較して、フィルムカバー１０５０が複数の第１フィルムカバー１０５１を含む点を除いては、他の構成は実質的に同一であるので、重複した説明は省略する。
【０１４０】
図１０を参照すると、フィルムカバー１０５０は、複数の第１フィルムカバー１０５１を含む。複数の第１フィルムカバー１０５１のそれぞれは、複数のフレキシブルフィルム１３０のそれぞれに対応し得る。複数の第１フィルムカバー１０５１のそれぞれは、複数のフレキシブルフィルム１３０のそれぞれを覆うように配置され得る。一方、図１０においては、複数の第１フィルムカバー１０５１のそれぞれの幅が複数のフレキシブルフィルム１３０の幅より大きいものと示したが、複数の第１フィルムカバー１０５１の幅は、複数のフレキシブルフィルム１３０の幅と同一であってもよく、これに限定されない。
【０１４１】
本発明の他の実施例に係る表示装置１０００においては、複数のフレキシブルフィルム１３０のそれぞれに対応するように互いに離隔された複数の第１フィルムカバー１０５１を配置して、放熱効率を向上させることができる。表示装置１０００の駆動時、複数のフレキシブルフィルム１３０の駆動ＩＣ１３１から熱が発生し得る。このとき、複数のフレキシブルフィルム１３０及びパッド領域ＮＡ１を保護するために配置されたフィルムカバー１０５０を複数の第１フィルムカバー１０５１で構成して、駆動ＩＣ１３１から発生した熱を効率的に放出できる。複数の第１フィルムカバー１０５１は、複数のフレキシブルフィルム１３０のそれぞれに対応するように配置され、複数のフレキシブルフィルム１３０を保護することができる。そして、複数の第１フィルムカバー１０５１は、複数のフレキシブルフィルム１３０のように互いに離隔されて配置される。従って、複数のフレキシブルフィルム１３０の駆動ＩＣ１３１から発生した熱は、互いに離隔された複数の第１フィルムカバー１０５１の間に放出され得、放熱効率及び複数のフレキシブルフィルム１３０の信頼性が向上し得る。
【０１４２】
図１１は、本発明のまた他の実施例に係る表示装置の表示部の平面図である。図１１の表示装置１１００は、図１乃至図９の表示装置１００と比較して、フィルムカバー１１５０が複数のホール１１５１を含む点を除いては、他の構成は実質的に同一であるので、重複した説明は省略する。
【０１４３】
図１１を参照すると、フィルムカバー１１５０は、複数のホール１１５１を含む。複数のホール１１５１は、少なくとも複数のフレキシブルフィルム１３０の駆動ＩＣ１３１に重畳するように配置され得る。複数のホール１１５１は、駆動ＩＣ１３１と対応するように配置され、駆動ＩＣ１３１から発生した熱は、複数のホール１１５１を通して放出され得る。ただし、図１１においては、複数のホール１１５１が駆動ＩＣ１３１に重畳するように配置されたものと示したが、複数のホール１１５１は、フィルムカバー１１５０の全体または一部分に配置され得る。複数のホール１１５１の配置は、これに限定されない。
【０１４４】
本発明のまた他の実施例に係る表示装置１１００においては、少なくとも複数のフレキシブルフィルム１３０の駆動ＩＣ１３１に対応する複数のホール１１５１が形成されたフィルムカバー１１５０を配置して、放熱効率を向上させることができる。複数のフレキシブルフィルム１３０を保護するために、複数のフレキシブルフィルム１３０を覆うフィルムカバー１１５０を配置する場合、駆動ＩＣ１３１の熱が外部に発散されにくくなり得る。そして、駆動ＩＣ１３１から発生した熱がまともに放出できなければ駆動ＩＣ１３１の性能低下につながり得る。そこで、少なくとも駆動ＩＣ１３１に対応するフィルムカバー１１５０の一部分に複数のホール１１５１を形成して、駆動ＩＣ１３１から発生した熱を効果的に放出できる。従って、本発明のさらに他の実施例に係る表示装置１１００においては、駆動ＩＣ１３１に対応するフィルムカバー１１５０の一部分に複数のホール１１５１を形成して、放熱効率及び複数のフレキシブルフィルム１３０の信頼性を向上させることができる。
【０１４５】
本発明のさらに他の実施例に係る表示装置１１００においては、フィルムカバー１１５０に複数のホール１１５１を配置して、フィルムカバー１１５０を柔軟に変形させることができ、フィルムカバー１１５０と第１接着部材Ａ１間のスリップを最小化することができる。表示部ＤＰがワインディングまたはアンワインディングされる場合、フィルムカバー１１５０に応力が加えられ得る。このとき、フィルムカバー１１５０に形成された複数のホール１１５１が柔軟に変形され、フィルムカバー１１５０及びフィルムカバー１１５０と連結された表示パネル１２０のパッド領域ＮＡ１及びフレキシブルフィルム１３０に加えられるストレスを緩和させることができる。例えば、フィルムカバー１１５０を上下方向に変形させる応力が加えられる場合、フィルムカバー１１５０が表示パネル１２０及びフレキシブルフィルム１３０にストレスを伝達する代わりに、フィルムカバー１１５０の複数のホール１１５１が変形されてストレスが伝達されることを最小化することができる。また、フィルムカバー１１５０の複数のホール１１５１が変形され、フィルムカバー１１５０を表示パネル１２０に貼り付ける第１接着部材Ａ１とフィルムカバー１１５０間のスリップもまた最小化することができる。従って、表示部ＤＰのワインディング過程で複数のホール１１５１が変形されてフィルムカバー１１５０からフィルムカバー１１５０の周囲の構成要素に加えられるストレスを緩和し、フィルムカバー１１５０と第１接着部材Ａ１間のスリップを最小化することができる。
【０１４６】
＜緩衝パッド＞
図１２乃至図１４は、本発明の多様な実施例に係る表示装置の表示部の緩衝パッドを説明するための図である。具体的には、図１２は、本発明のさらに他の実施例に係る表示装置１２００の表示部ＤＰの平面図である。図１３は、本発明のさらに他の実施例に係る表示装置１３００の表示部ＤＰの平面図である。図１４は、本発明のさらに他の実施例に係る表示装置１４００の表示部ＤＰの拡大断面図である。図１２乃至図１４の表示装置１２００、１３００、１４００は、図１乃至図９の表示装置１００と比較して、緩衝パッドＢＰのみが異なるだけで、他の構成は実質的に同一であるので、重複した説明は省略する。一方、図１２及び図１３においては、説明の便宜のために、フィルムカバー１５０の図示は省略している。
【０１４７】
図１２を参照すると、緩衝パッドＢＰは、複数の第１緩衝パッドＢＰを含む。複数の第１緩衝パッドＢＰのそれぞれは、複数のフレキシブルフィルム１３０に重畳するように配置され得る。表示パネル１２０のパッド領域ＮＡ１上に配置された複数の第１緩衝パッドＢＰのそれぞれは、少なくとも複数のフレキシブルフィルム１３０に対応するように配置され、複数のフレキシブルフィルム１３０が連結されたパッド領域ＮＡ１の一部分に伝達される衝撃を緩和できる。
【０１４８】
図１３を参照すると、緩衝パッドＢＰは、複数の第１緩衝パッドＢＰを含む。複数の第１緩衝パッドＢＰは、平面形状が複数のフレキシブルフィルム１３０と重畳する部分から離れるほど幅が減少する形状に形成され得る。第１緩衝パッドＢＰは、表示パネル１２０のエッジに近くなるほど複数のフレキシブルフィルム１３０の外側に突出した部分の幅が増加し得る。例えば、第１緩衝パッドＢＰは、平面形状が表示パネル１２０の内側から表示パネル１２０のエッジに近くなるほど幅が増加する台形状に形成され得る。
【０１４９】
図１４を参照すると、緩衝パッドＢＰは、複数の第１緩衝パッドＢＰを含む。複数の第１緩衝パッドＢＰは、断面形状が複数のフレキシブルフィルム１３０と重畳する部分から離れるほど幅が減少する形状に形成され得る。第１緩衝パッドＢＰは、内側からエッジに行くほど厚さが減少する形状に形成され得る。例えば、第１緩衝パッドＢＰは、断面形状が内側からエッジに近くなるほど厚さが減少する台形状に形成され得る。
【０１５０】
本発明の多様な実施例に係る表示装置１２００、１３００、１４００においては、複数のフレキシブルフィルム１３０のそれぞれに対応するように複数の第１緩衝パッドＢＰを配置して複数のフレキシブルフィルム１３０及びパッド領域ＮＡ１に加えられる衝撃を緩和できる。表示部ＤＰのワインディング時、表示パネル１２０のパッド領域ＮＡ１、特に複数のフレキシブルフィルム１３０と重畳するパッド領域ＮＡ１に衝撃が加えられる場合、表示パネル１２０と複数のフレキシブルフィルム１３０の接触不良が発生し得る。そこで、パッド領域ＮＡ１で最小限複数のフレキシブルフィルム１３０と重畳するように複数の第１緩衝パッドＢＰを配置して複数のフレキシブルフィルム１３０及びパッド領域ＮＡ１に加えられる衝撃を緩和できる。このとき、複数の第１緩衝パッドＢＰを衝撃に敏感な複数のフレキシブルフィルム１３０と重畳するパッド領域ＮＡ１の一部分に配置して複数のフレキシブルフィルム１３０及びパッド領域ＮＡ１に加えられる衝撃を効率的に吸収できる。従って、本発明の多様な実施例に係る表示装置１２００、１３００、１４００においては、衝撃に敏感な複数のフレキシブルフィルム１３０と重畳するパッド領域ＮＡ１の一部分に複数の第１緩衝パッドＢＰを配置して、パッド領域ＮＡ１のクラック及び複数のフレキシブルフィルム１３０とパッド領域ＮＡ１の接触不良を最小化することができる。
【０１５１】
本発明の多様な実施例に係る表示装置１２００、１３００、１４００においては、複数の第１緩衝パッドＢＰの形状を複数のフレキシブルフィルム１３０と重畳する部分から離れるほど幅が減少する形状に形成して、複数の第１緩衝パッドＢＰに加えられる衝撃を分散させ、複数のフレキシブルフィルム１３０と表示パネル１２０の剥離を最小化することができる。例えば、図１３及び図１４に示されたように、緩衝パッドＢＰに複数のフレキシブルフィルム１３０の外側に突出した部分を形成して外部の衝撃が複数のフレキシブルフィルム１３０に集中せず、緩衝パッドＢＰの突出した部分を通して分散し得る。また、表示パネル１２０のエッジ付近のパッド領域ＮＡ１は、複数のフレキシブルフィルム１３０がボンディングされた地点である。このとき、複数のフレキシブルフィルム１３０がボンディングされた表示パネル１２０のエッジ付近で第１緩衝パッドＢＰの幅を最も広く構成して、複数のフレキシブルフィルム１３０が表示パネル１２０と剥離されないように支持することができる。従って、本発明の多様な実施例に係る表示装置１２００、１３００、１４００においては、複数の第１緩衝パッドＢＰの形状を多様に構成して、複数のフレキシブルフィルム１３０に加えられる衝撃を分散させ、複数のフレキシブルフィルム１３０を支持することができる。
【０１５２】
本発明の実施態様は、下記のように記載することもできる。
本発明の態様によれば、表示装置は、表示パネル、表示パネルの背面で表示パネルを支持するバックカバーと、表示パネルの一端に電気的に連結され、バックカバーの一面上に配置される少なくとも一つのフレキシブルフィルムと、少なくとも一つのフレキシブルフィルムと表示パネルの一端を覆うフィルムカバーと、少なくとも一つのフレキシブルフィルムと電気的に連結され、バックカバーの一面上に配置される印刷回路基板と、表示パネル及びバックカバーがワインディング（ｗｉｎｄｉｎｇ）またはアンワインディング（ｕｎ−ｗｉｎｄｉｎｇ）され、第１平面部、第２平面部及び曲面部からなるローラーとを含み、表示パネル及びバックカバーがローラーにフルワインディングされた状態であるとき、表示パネルの一端は、第１平面部に対応するように配置され、印刷回路基板は、第２平面部に対応するように配置される。
【０１５３】
フィルムカバーは、少なくとも、少なくとも一つのフレキシブルフィルムの駆動ＩＣに重畳する複数のホールを含むことができる。
【０１５４】
フィルムカバーは、少なくとも一つのフレキシブルフィルムのそれぞれに対応するように配置された複数の第１フィルムカバーをさらに含むことができる。
【０１５５】
表示パネルの一端とフィルムカバーとの間に配置された緩衝パッドをさらに含み、緩衝パッドは、少なくとも一つのフレキシブルフィルムと重畳し得る。
【０１５６】
緩衝パッドは、少なくとも一つのフレキシブルフィルムと重畳する部分から離れるほど幅が減少し得る。
【０１５７】
緩衝パッドは、内側からエッジに行くほど厚さが減少し得る。
【０１５８】
表示パネルとフィルムカバーとの間に配置された第１接着部材、及び表示パネルと緩衝パッドとの間に配置された第２接着部材をさらに含むことができる。
【０１５９】
バックカバーの一面で印刷回路基板を覆い、一面が曲面状に形成されたカバープレートをさらに含み、フィルムカバーの他端は、印刷回路基板とカバープレートとの間に配置され得る。
【０１６０】
表示パネルと印刷回路基板との間に配置されたフィルムカバーの一部分の長さ及び少なくとも一つのフレキシブルフィルムの一部分の長さは、表示パネルと印刷回路基板との間の直線距離よりも長くなり得る。
【０１６１】
本発明の他の態様によれば、表示装置は、パッド領域を含む表示パネルと、表示パネルの一面でパッド領域と電気的に連結された少なくとも一つのフレキシブルフィルムと、少なくとも一つのフレキシブルフィルムと電気的に連結された印刷回路基板と、表示パネル、少なくとも一つのフレキシブルフィルム、及び印刷回路基板を支持するバックカバーと、表示パネルの一面の反対面でパッド領域の少なくとも一部及び少なくとも一つのフレキシブルフィルムを覆うフィルムカバーと、印刷回路基板と印刷回路基板に対応するバックカバーの一部が挿入されたカバー部と、表示パネル及びバックカバーがワインディングまたはアンワインディングされ、パッド領域と対応する第１平面部、及び印刷回路基板と対応し、第１平面部から延びた第２平面部を含むローラーとを含む。
【０１６２】
表示パネルと印刷回路基板との間に配置されたフィルムカバーの一部分の長さは、表示パネルと印刷回路基板との間に配置された少なくとも一つのフレキシブルフィルムの一部分の長さよりも長くなり得る。
【０１６３】
パッド領域とフィルムカバーとの間に配置された緩衝パッドと、フィルムカバーを表示パネルに接着させる第１接着部材と、緩衝パッドを表示パネルに接着させる第２接着部材と、パッド領域に重畳する少なくとも一つのフレキシブルフィルムを覆うマイクロシール部材とをさらに含み、緩衝パッドは、マイクロシール部材の少なくとも一部と重畳し得る。
【０１６４】
緩衝パッドの一部分は、少なくとも一つのフレキシブルフィルムの外側に突出し得る。
【０１６５】
フィルムカバーは、少なくとも、少なくとも一つのフレキシブルフィルムの駆動ＩＣと重畳する部分に複数のホールが配置され得る。
【０１６６】
表示パネルと印刷回路基板との間に配置されたフィルムカバーの一部分の長さ及び表示パネルと印刷回路基板との間に配置された少なくとも一つのフレキシブルフィルムの一部分の長さは、表示パネルと印刷回路基板との間の直線距離よりも長くなり得る。
【０１６７】
以上、添付の図面を参照して、本発明の実施例をさらに詳細に説明したが、本発明は、必ずしもこのような実施例に限定されるものではなく、本発明の技術思想を外れない範囲内で多様に変形実施され得る。従って、本発明に開示された実施例は、本発明の技術思想を限定するためのものではなく、説明するためのものであり、このような実施例によって本発明の技術思想の範囲が限定されるものではない。それゆえ、以上において記述した実施例は、全ての面で例示的なものであり、限定的ではないものと理解すべきである。本発明の保護範囲は、下記の請求の範囲によって解釈されるべきであり、それと同等な範囲内にある全ての技術思想は、本発明の権利範囲に含まれるものと解釈されるべきである。
【図１ａ】
0006945710.tif 000002
【図１ｂ】
0006945710.tif 000003
【図２】
0006945710.tif 000004
【図３】
0006945710.tif 000005
【図４】
0006945710.tif 000006
【図５】
0006945710.tif 000007
【図６】
0006945710.tif 000008
【図７】
0006945710.tif 000009
【図８】
0006945710.tif 000010
【図９】
0006945710.tif 000011
【図１０】
0006945710.tif 000012
【図１１】
0006945710.tif 000013
【図１２】
0006945710.tif 000014
【図１３】
0006945710.tif 000015
【図１４】
0006945710.tif 000016